(57)【要約】【課題】消費電力量を低減できる冷蔵庫を提供すること。【解決手段】冷蔵庫１０は、冷蔵室の前面開口に併置された観音開き式の第１の回転扉１１および第２の回転扉１２と、第１の回転扉１１および第２の回転扉１２の少なくとも一方の反枢支側の内面側に縦方向にわたって設けられた回転仕切体１００と、を備える。回転仕切体１００は、仕切枠体４１と、仕切枠体４１よりも庫内側に位置し、仕切枠体４１とかん合する仕切板４２と、を有する。仕切枠体４１と仕切板４２とのかん合部４３において、仕切枠体４１が仕切板４２の外側に位置している。【選択図】図４
2019184106.tif 000002
【特許請求の範囲】
【請求項１】
貯蔵室と、
前記貯蔵室の前面開口に併置された観音開き式の左右扉と、
前記左右扉の少なくとも一方の反枢支側の内面側に縦方向にわたって設けられた回転仕切体と、を備え、
前記回転仕切体は、
仕切枠体と、
前記仕切枠体よりも庫内側に位置し、前記仕切枠体とかん合する仕切板と、を有し、
前記仕切枠体と前記仕切板とのかん合部において、前記仕切枠体が前記仕切板の外側に位置している、
冷蔵庫。
【請求項２】
前記仕切枠体と前記仕切板とのかん合により形成された内部空間に、断熱材が設けられている、
請求項１に記載の冷蔵庫。
【請求項３】
前記仕切枠体および前記仕切板のうち少なくとも一方は、繊維複合樹脂で形成されている、
請求項１または２に記載の冷蔵庫。
【請求項４】
前記繊維複合樹脂は、セルロースナノファイバー複合樹脂である、
請求項３に記載の冷蔵庫。
【請求項５】
前記かん合部において、前記仕切板の面のうち前記仕切枠体と接触する仕切板側接触面と、前記仕切枠体の面のうち前記仕切板と接触する仕切枠体側接触面との間に、固体潤滑剤が設けられている、
請求項１から４のいずれか１項に記載の冷蔵庫。
【請求項６】
前記かん合部において、前記仕切板の面のうち前記仕切枠体と接触する仕切板側接触面、および、前記仕切枠体の面のうち前記仕切板と接触する仕切枠体側接触面、のうち少なくとも一方に、凹部または凸部が設けられている、
請求項１から４のいずれか１項に記載の冷蔵庫。
【請求項７】
前記かん合部において、前記仕切板の面のうち前記仕切枠体と接触する仕切板側接触面と、前記仕切枠体の面のうち前記仕切板と接触する仕切枠体側接触面との間に、断熱シートが設けられている、
請求項１から４のいずれか１項に記載の冷蔵庫。
【請求項８】
前記断熱シートは、エアロゲル不織布複合断熱材である、
請求項７に記載の冷蔵庫。
【発明の詳細な説明】
【技術分野】
【０００１】
本発明は、冷蔵庫に関する。
【背景技術】
【０００２】
従来、貯蔵室の前面開口部を左右に開閉する２つの回転扉（貯蔵室扉ともいう）に取り付けられた回転仕切体を有する冷蔵庫が知られている。回転仕切体は、２つの回転扉が閉じられたときに、各回転扉の遊端部（回転支持側の反対側の部分）に密着して、遊端部における密閉性を高める。
【０００３】
例えば特許文献１には、一方の回転扉の遊端部の裏面に縦長の回転仕切体が取り付けられた冷蔵庫が開示されている。この回転仕切体は、上記一方の回転扉が閉じられると、回転する。そして、２つの回転扉が閉じられた場合、回転仕切体は、回転して、２つの回転扉の遊端部を架け渡すように各遊端部に当接する。このとき、回転仕切体は、２つの回転扉に設けられたガスケットと密着する。これにより、遊端部における密閉性を高め、貯蔵室の冷気が外部に漏れることを防止する。
【０００４】
回転仕切体は、樹脂からなる筐体内部に発泡ウレタン等の断熱材が充填されて構成される。断熱材の前側には、２つの回転扉に設けられたガスケットと磁気的に密着するように鉄板製の前板が配設される。つまり、２つの回転扉の遊端部の裏面にはガスケットが設けられ、このガスケット内にはマグネットまたは鉄板が配設される。これにより、回転仕切体と２つの回転扉とが磁気的に密着して、遊端部における密閉性を高めることができるようになっている。
【０００５】
また、例えば特許文献２では、ヒータによる加温の効率を向上させる構成が提案されている。この構成について、図１１を用いて以下に説明する。
【０００６】
図１１において、回転仕切体の構成要素である仕切枠体４１および仕切板４２は、樹脂製である。また、側面部を折り曲げることで断面がコの字型に形成された金属補強板１１１が、仕切板４２に固定されて配設されている。また、仕切枠体４１の内面側には、マグネット４５ａ、４５ｂが配設されている。これにより、回転扉を閉じた際に、回転扉が磁気的に密着するようになっている。また、仕切枠体４１に結露が発生することを防止するために、仕切枠体４１の内面側には、仕切枠体４１を温めるヒータ４６が設けられている。
【０００７】
この構成では、ヒータ４６の熱の拡散を抑制することでヒータの容量を低減し、仕切枠体４１が金属製の場合に必要となるアース線の廃止を可能にしている。また、金属補強板１１１が、冷蔵庫の庫内と庫外との温度差による熱膨張の差で回転仕切体が反ることを抑制している。
【先行技術文献】
【特許文献】
【０００８】
【特許文献１】特開２０１５−１７５５８４号公報
【特許文献２】特開２０１６−２０５７２３号公報
【発明の概要】
【発明が解決しようとする課題】
【０００９】
しかしながら、上述した特許文献２の構成では、冷蔵庫の庫外の熱またはヒータの熱が、熱伝導率の高い金属補強板を伝わって冷蔵庫の庫内に侵入し、庫内の温度を上昇させてしまう。そのため、冷蔵庫の冷却能力およびヒータの熱量が余分に必要になる。したがって、冷蔵庫の消費電力量が増加するという問題がある。
【００１０】
本発明の目的は、消費電力量を削減できる冷蔵庫を提供することである。
【課題を解決するための手段】
【００１１】
本発明の一態様に係る冷蔵庫は、貯蔵室と、前記貯蔵室の前面開口に併置された観音開き式の左右扉と、前記左右扉の少なくとも一方の反枢支側の内面側に縦方向にわたって設けられた回転仕切体と、を備え、前記回転仕切体は、仕切枠体と、前記仕切枠体よりも庫内側に位置し、前記仕切枠体とかん合する仕切板と、を有し、前記仕切枠体と前記仕切板とのかん合部において、前記仕切枠体が前記仕切板の外側に位置している。
【発明の効果】
【００１２】
本発明によれば、消費電力量を削減できる。
【図面の簡単な説明】
【００１３】
【図１】本発明の実施の形態１に係る冷蔵庫の外観を示す斜視図
【図２】２つの回転扉が開けられた状態の冷蔵庫を真上から見た図
【図３】２つの回転扉が閉じられた状態の冷蔵庫を真上から見た図
【図４】回転仕切体を冷蔵庫の真上から見た場合の断面図
【図５】本発明の実施の形態１に係るかん合部の拡大断面図
【図６Ａ】冷蔵庫の側面側から見た変形前の回転仕切体を示す図
【図６Ｂ】冷蔵庫の側面側から見た変形後の回転仕切体を示す図
【図７】本発明の実施の形態２に係るかん合部の拡大断面図
【図８Ａ】本発明の実施の形態２に係る仕切板側の接触面の形状を示す概略図
【図８Ｂ】図８ＡのＡ−Ａ断面図
【図９】本発明の実施の形態３に係る仕切板側の接触面の形状を示す概略図
【図１０】本発明の実施の形態４に係るかん合部の拡大断面図
【図１１】特許文献２に開示されている回転仕切体の断面図
【発明を実施するための形態】
【００１４】
以下、本発明の実施の形態について、図面を参照しながら説明する。各図において、共通する構成要素には同一符号を付し、適宜説明を省略する。また、本発明は、以下の実施の形態の説明に限定されない。
【００１５】
（実施の形態１）
本実施の形態に係る冷蔵庫１０の構成について、図１〜図５を用いて説明する。
【００１６】
図１は、本実施の形態に係る冷蔵庫１０の外観を示す斜視図である。図２は、第１の回転扉１１および第２の回転扉１２が開けられた状態の冷蔵庫１０を真上から見た図である。図３は、第１の回転扉１１および第２の回転扉１２が閉じられた状態の冷蔵庫１０を真上から見た図である。図４は、回転仕切体１００を冷蔵庫１０の真上から見た場合の断面図である。なお、図４において、図中の上側は庫内側であり、図中の下側は庫外側である。図５は、仕切枠体と仕切板とのかん合部の拡大断面図である。
【００１７】
図１に示すように、冷蔵庫１０は、回転仕切体１００を備えた冷蔵庫である。
【００１８】
冷蔵庫１０は、冷蔵室２１（貯蔵室の一例。図２、図３参照）の前面に設けられた第１の回転扉１１および第２の回転扉１２（左右扉の一例）を有する。第１の回転扉１１および第２の回転扉１２は、それぞれ、仮想線で示す回転軸１１ａ、１２ａを中心に回転可能となっている。これにより、冷蔵庫１０は、いわゆる観音開きが可能となっている。
【００１９】
第１の回転扉１１および第２の回転扉１２の下方には、複数の引き出し型の扉が設けられている。具体的には、製氷室扉１３、上部冷凍室扉１４、下部冷凍室扉１５、および野菜室扉１６が設けられている。
【００２０】
図２に示すように、第１の回転扉１１の遊端部の裏面には、回転仕切体１００が取り付けられている。回転仕切体１００は、第１の回転扉１１の遊端部の上下方向全体をカバーする縦長の直方体形状である。
【００２１】
回転仕切体１００は、第１の回転扉１１が閉じられた場合、冷蔵庫１０の本体（筐体）２０に設けられた突起（図示略）に当接することにより、９０°回転する。これにより、図３に示すように、第１の回転扉１１および第２の回転扉１２が閉じられた場合、回転仕切体１００は、第１の回転扉１１の遊端部と第２の回転扉１２の遊端部とを架け渡すように、両方の遊端部に当接する。
【００２２】
このとき、回転仕切体１００と、第１の回転扉１１の遊端部および第２の回転扉１２の遊端部のそれぞれに設けられたガスケット（図示略）とが密着する。これにより、遊端部における密閉性が高められ、冷蔵室の冷気が外部に漏れることを防止できる。
【００２３】
図４に示すように、回転仕切体１００は、仕切枠体４１、仕切板４２、および断熱材４４を有する。
【００２４】
回転仕切体１００の筐体は、仕切枠体４１と、仕切板４２とがかん合して形成されている。かん合部４３は、仕切枠体４１と仕切板４２とがかん合した部分である。仕切板４２は、仕切枠体４１の保持部（端部）４１ａによって保持されている。
【００２５】
また、回転仕切体１００の筐体内（仕切枠体４１と仕切板４２のかん合により形成された内部空間）には、断熱材４４が設けられている。断熱材４４は、仕切枠体４１の保持部（分岐部）４１ｂによって保持されている。断熱材４４は、例えば発泡スチロールであるが、これに限定されず、他の材料でもよい。
【００２６】
図４に示したように、本実施の形態の回転仕切体１００は、金属補強板（図１１参照）を備えない。よって、構造体としての剛性向上を図る必要があることから、仕切枠体４１および仕切板４２のうち少なくとも一方は、セルロースナノファイバー複合樹脂などの繊維複合樹脂で形成されることが望ましい。
【００２７】
また、仕切枠体４１の背面側（庫内側）には、マグネット４５ａ、４５ｂが設けられている。マグネット４５ａ、４５ｂは、図３に示したように第１の回転扉１１および第２の回転扉１２が閉じられた場合に、第１の回転扉１１の遊端部および第２の回転扉１２の遊端部のそれぞれに設けられたガスケットと密着する。
【００２８】
また、仕切枠体４１の背面側（庫内側）には、ヒータ４６が設けられている。ヒータ４６は、回転仕切体１００の長手方向（図１の矢印ａ参照）全体に亘って延在する電熱線である。ヒータ４６は、仕切枠体４１を温める。これにより、仕切枠体４１に結露が発生することを防止できる。
【００２９】
また、仕切板４２には、緩衝シート４７が設けられている。緩衝シート４７は、回転仕切体１００が回転して第２の回転扉１２に当接する際の衝撃を緩和する部材である。緩衝シート４７による衝撃の緩和により、衝突音が低減される。
【００３０】
また、かん合部４３では、図５に示すように、仕切枠体４１（保持部４１ａ）と仕切板４２との間には、固体潤滑剤５１が設けられている。固体潤滑剤５１は、例えば、フッ化化合物または二硫化モリブデンなどである。なお、固体潤滑剤５１は、仕切枠体４１（保持部４１ａ）および仕切板４２の少なくとも一方にコーティング（塗布）されればよい。
【００３１】
このように固体潤滑剤５１を設けることにより、仕切枠体４１（保持部４１ａ）と仕切板４２とが、スムーズに移動できる。また、上述した回転仕切体１００が第２の回転扉１２に当接する際の衝撃を吸収できるとともに、後述の温度差にも対応できる。
【００３２】
一般的に、冷蔵庫の運転時には、庫外側の温度（例えば、２５℃〜３５℃程度）の方が、庫内側の温度（例えば、５℃程度）よりも高くなり、温度差が生じる。この温度差により、かん合部４３において、仕切枠体４１および仕切板４２は、外側（図４の矢印ｂの方向）へ広がるように変形する。
【００３３】
ここで、図４に示したように仕切枠体４１が庫外側に配置され、仕切板４２が庫内側に配置されているため、仕切枠体４１の温度は、仕切板４２の温度よりも高くなる。これにより、仕切枠体４１は、仕切板４２に比べて大きく変形する。よって、かん合部４３において、仕切枠体４１と仕切板４２とが嵌め合う力（押し付け合う力）は弱くなる。
【００３４】
以上、冷蔵庫１０の構成について説明した。
【００３５】
次に、本実施の形態の冷蔵庫１０の作用効果について説明する。
【００３６】
まず、庫外側と庫内側とで温度差が生じた場合における一般的な回転仕切体２００の長手方向の変形について、図６Ａ、図６Ｂを用いて説明する。
【００３７】
図６Ａは、冷蔵庫の側面側から見た変形前の回転仕切体２００を示す図である。図６Ｂは、冷蔵庫の側面側から見た変形後の回転仕切体２００を示す図である。図６Ａおよび図６Ｂにおいて、図中の左側が庫外側であり、図中の右側が庫内側である。
【００３８】
冷蔵庫の運転時に庫外側の温度が庫内側の温度よりも高くなると、図６Ａに示すように、仕切枠体４１は矢印ｃの方向へ伸び、仕切板４２は矢印ｄの方向へ縮む。なお、温度によっては伸縮の方向が逆転する場合もあるが、仕切枠体４１の方が仕切板４２よりも長くなろうとする。
【００３９】
このとき、仕切枠体４１と仕切板４２とのかん合部４３には、摩擦力が生じる。この摩擦力が大きいと、図６Ｂに示すように、回転仕切体２００は、庫内側（変形量が小さい仕切板４２側）へ反るように変形する。そして、変形した回転仕切体２００と、各回転扉または各回転扉に設けられたガスケットとの間には隙間が生じ、冷気が漏れることで冷却性能が著しく低下してしまう。
【００４０】
これに対し、本実施の形態の回転仕切体１００は、上述したとおり、仕切枠体４１を庫外側に配置し、仕切板４２を庫内側に配置したことにより、仕切枠体４１の温度が、仕切板４２の温度よりも高くなるようにしている。これにより、仕切枠体４１は、仕切板４２に比べて大きく変形するため、仕切枠体４１と仕切板４２とが嵌め合う力が弱くなる。
【００４１】
嵌め合う力が弱くなると、かん合部４３において仕切枠体４１と仕切板４２との間に生じる摩擦力は小さくなり、仕切枠体４１および仕切板４２の両方が滑りやすくなる。これにより、仕切枠体４１と仕切板４２とに相互に働く力が弱くなり、反り量を減少させることができる。よって、金属補強板（図１１参照）を備える必要がなくなるので、庫外の熱またはヒータ４６の熱が金属補強板を伝わって庫内に侵入することを抑制できる。その結果、冷蔵庫の消費電力量を削減することができる。また、金属補強板の設置にかかるコストを削減することもできる。
【００４２】
また、本実施の形態の仕切枠体４１および仕切板４２は、通常の樹脂よりも剛性が高く変形しにくい素材（例えば、セルロースナノファイバー複合樹脂などの繊維複合樹脂）で構成されている。よって、回転仕切体１００の反り量をさらに抑えることができる。
【００４３】
（実施の形態２）
本発明の実施の形態２について、図７、図８Ａ、図８Ｂを用いて説明する。なお、以下では、実施の形態１との差異についてのみ説明する。よって、以下の説明で言及しない事項は実施の形態１と同様である。
【００４４】
図７は、仕切枠体４１と仕切板４２とのかん合部４３の断面拡大図である。図８Ａは、仕切板４２の面のうち仕切枠体４１と接触する面の形状を示す概略図である。図８Ｂは、図８ＡのＡ−Ａ断面図である。
【００４５】
図７、図８Ａ、図８Ｂに示すように、仕切板４２の面のうちの仕切枠体４１と接触する面（以下、仕切板側接触面という）Ｆには、複数の突起８１が形成されている。突起８１は、例えば、径が１０μｍ〜１００μｍ程度である半球の形状である。
【００４６】
なお、突起８１は、仕切枠体側接触面（仕切枠体４１の面のうちの仕切板４２と接触する面）に形成されてもよい。また、突起８１の形状、大きさ、数は、図７、図８Ａ、図８Ｂの図示に限定されない。
【００４７】
本実施の形態では、仕切枠体４１と仕切板４２との接触面積を減少させることができるので、仕切枠体４１から仕切板４２への熱の伝達量を削減できる。よって、庫外の熱またはヒータの熱の庫内への侵入を抑制でき、冷蔵庫の消費電力量を削減できる。
【００４８】
（実施の形態３）
本発明の実施の形態３について、図９を用いて説明する。なお、以下では、実施の形態１、２との差異についてのみ説明する。よって、以下の説明で言及しない事項は実施の形態１、２と同様である。
【００４９】
図９は、仕切板側接触面Ｆの形状を示す概略図である。図９に示すように、仕切板側接触面Ｆには、複数の溝９１が形成されている。溝９１の深さは、例えば、１０μｍ〜１００μｍ程度である。
【００５０】
溝９１の形成方向は、仕切板４１が伸縮する冷蔵庫１０の上下方向であることが望ましいが、別の方向であってもよい。
【００５１】
また、溝９１は、仕切枠体側接触面に形成されてもよい。また、溝９１の深さ、ピッチ、数は、図９の図示に限定されない。
【００５２】
本実施の形態では、仕切枠体４１と仕切板４２との接触面積を減少させることができるので、仕切枠体４１から仕切板４２への熱の伝達量を削減できる。よって、庫外の熱またはヒータの熱の庫内への侵入を抑制でき、冷蔵庫の消費電力量を削減できる。
【００５３】
なお、溝９１が形成されているということは、ライン状の突起が形成されていると言うこともできる。また、本実施の形態と上述した実施の形態２とからは、仕切枠体側接触面または仕切板側接触面のいずれかに、凸部（例えば、突起８１）または凹部（例えば、溝９１）が形成されていると言うことができる。
【００５４】
（実施の形態４）
本発明の実施の形態４について、図１０を用いて説明する。なお、以下では、実施の形態１〜３との差異についてのみ説明する。よって、以下の説明で言及しない事項は実施の形態１〜３と同様である。
【００５５】
図１０は、仕切枠体４１と仕切板４２とのかん合部４３の断面拡大図である。図１０に示すように、仕切枠体４１（保持部４１ａ）と仕切板４２との間には、エアロゲル不織布複合断熱材１０１（断熱シートの一例）が設けられている。
【００５６】
エアロゲル不織布複合断熱材１０１は、１ｍｍ以下程度であっても、ウレタンと同等の断熱性（熱伝導率）を有する材料である。
【００５７】
なお、エアロゲル不織布複合断熱材１０１の代わりに、単なる不織布、または、その他の断熱性を備えたシートを用いてもよい。その場合、エアロゲル不織布複合断熱材１０１を用いた場合に比べて、断熱効果は小さくなるが、コストを削減することができる。
【００５８】
本実施の形態では、仕切枠体４１と仕切板４２との間の断熱性を向上させることができるので、仕切枠体４１から仕切板４２への熱の伝達量を削減できる。よって、庫外の熱またはヒータの熱の庫内への侵入を抑制でき、冷蔵庫の消費電力量を削減できる。
【産業上の利用可能性】
【００５９】
本発明は、回転仕切体を有する観音開き扉の家庭用冷蔵庫や業務用冷蔵庫に有用である。
【符号の説明】
【００６０】
１０  冷蔵庫
１１  第１の回転扉
１２  第２の回転扉
１３  製氷室扉
１４  上部冷凍室扉
１５  下部冷凍室扉
１６  野菜室扉
２０  本体
２１  冷蔵室
４１  仕切枠体
４１ａ、４１ｂ  保持部
４２  仕切板
４３  かん合部
４４  断熱材
４５ａ、４５ｂ  マグネット
４６  ヒータ
５１  固体潤滑剤
１００、２００  回転仕切体
１０１  エアロゲル不織布複合断熱材
１１１  金属補強板
【図１】
2019184106.tif 000003
【図２】
2019184106.tif 000004
【図３】
2019184106.tif 000005
【図４】
2019184106.tif 000006
【図５】
2019184106.tif 000007
【図６Ａ】
2019184106.tif 000008
【図６Ｂ】
2019184106.tif 000009
【図７】
2019184106.tif 000010
【図８Ａ】
2019184106.tif 000011
【図８Ｂ】
2019184106.tif 000012
【図９】
2019184106.tif 000013
【図１０】
2019184106.tif 000014
【図１１】
2019184106.tif 000015